【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
高周波通信を実施するための処理方法であって、
最初に接続されている基地局によって、前記最初に接続されている基地局によりサービスされるユーザ装置（ＵＥ）がカバレッジホール状態にある場合に、対象のアクセスされるべき基地局にスキャン要求メッセージを送信するステップと、
前記対象のアクセスされるべき基地局により送信されるスキャン確認情報を受信するステップと、
前記対象のアクセスされるべき基地局に前記ＵＥに関する情報を送信するステップであって、その結果、前記対象のアクセスされるべき基地局が前記ＵＥに関する前記情報に従って前記ＵＥをスキャンし、前記ＵＥと前記対象のアクセスされるべき基地局との間の高周波接続を確立する、ステップとを含む、方法。
【請求項２】
前記対象のアクセスされるべき基地局が、前記ＵＥの位置をカバーするビームが属する基地局のことを指す、請求項１に記載の方法。
【請求項３】
前記カバレッジホール状態が、受信された前記ＵＥのアップリンク信号品質が、事前設定された信号品質しきい値より小さいこと、前記ＵＥによりフィードバックされたチャネル品質が、チャネル品質しきい値より小さいこと、前記ＵＥからのフィードバックが、事前設定された時間内に受信されないこと、前記ＵＥの受信データのビット誤り率が、事前設定されたビット誤り率しきい値に達すること、又は、前記ＵＥの受信データ信号品質が、復調が実行されることができない状態に悪化することを含む、請求項１又は請求項２に記載の方法。
【請求項４】
前記ＵＥに関する前記情報が、ＵＥ識別子、ＵＥスキャン期間、ＵＥ測位情報、及びビーム識別子を含む、請求項１から請求項３のいずれか一項に記載の方法。
【請求項５】
高周波通信を実施するための当該処理方法が、
前記対象のアクセスされるべき基地局と前記ＵＥとの間で前記高周波接続が確立されたあとで、ＵＥ高周波接続ステータスを搬送するフィードバックメッセージを受信するとともに、前記ＵＥに対する前記高周波接続を確立する前記基地局を除く、前記対象のアクセスされるべき基地局中の他の基地局に、スキャン停止要求メッセージを送信するステップを更に含む、請求項１から請求項４のいずれか一項に記載の方法。
【請求項６】
当該方法が、
事前設定された期間の間隔で前記ＵＥの位置をカバーする全てのビームを検出するとともに、前記ＵＥにビーム情報を送信するステップであって、前記ビーム情報が、ビーム識別子、セル識別子、及びアレイ識別子を含む、ステップと、
前記ＵＥにより送信される測定結果を受信するとともに、前記測定結果に従って代替ビームを判定するステップであって、前記代替ビームが、前記ＵＥと前記アクセスされるべき基地局との間で高周波接続が確立されることを可能にするビームである、ステップとを更に含む、請求項１から請求項５のいずれか一項に記載の方法。
【請求項７】
高周波通信を実施するための処理方法であって、
ユーザ装置（ＵＥ）に最初に接続されている基地局により送信されるスキャン要求メッセージを受信するステップと、
前記ＵＥに最初に接続されている前記基地局にスキャン確認メッセージを送信するステップと、
前記ＵＥに最初に接続されている前記基地局により送信される前記ＵＥに関する情報を受信するステップと、
前記ＵＥに関する前記情報に従って前記ＵＥをスキャンするステップと、
高周波接続を確立するステップとを含む、方法。
【請求項８】
当該方法が、
現在の負荷に従って前記ＵＥに時間−周波数リソースを割り当てるステップを更に含み、
前記ＵＥに関する前記情報に従って前記ＵＥをスキャンし、高周波接続を確立する前記ステップが、
前記ＵＥに関する前記情報に従って前記ＵＥの位置を判定するステップと、
前記時間−周波数リソース及び前記ＵＥの前記位置に従って前記ＵＥの前記位置に対してビームを発射するステップであって、その結果、前記ＵＥがアップリンクビームとダウンリンクビームとをペアにするとともに前記ビームをロックし、そして前記ＵＥが前記高周波接続を確立する、ステップとを含む、請求項７に記載の方法。
【請求項９】
当該方法が、
前記ＵＥに最初に接続されている前記基地局に高周波リンク接続ステータスを搬送する接続応答メッセージを送信するステップを更に含む、請求項７又は請求項８に記載の方法。
【請求項１０】
前記ＵＥに関する前記情報が、ＵＥ識別子、ＵＥスキャン期間、ＵＥ測位情報、及びビーム識別子を含む、請求項７から請求項９のいずれか一項に記載の方法。
【請求項１１】
高周波通信を実施するための処理装置であって、
最初に接続されている基地局によりサービスされるユーザ装置（ＵＥ）がカバレッジホール状態にある場合に、対象のアクセスされるべき基地局にスキャン要求メッセージを送信するように構成されるトランシーバモジュールを備え、
前記トランシーバモジュールが、前記対象のアクセスされるべき基地局により送信されるスキャン確認情報を受信し、前記対象のアクセスされるべき基地局に前記ＵＥに関する情報を送信し、その結果、前記対象のアクセスされるべき基地局が前記ＵＥに関する前記情報に従って前記ＵＥをスキャンし、前記ＵＥと前記対象のアクセスされるべき基地局との間の高周波接続を確立する、ように更に構成される、装置。
【請求項１２】
前記対象のアクセスされるべき基地局が、前記ＵＥの位置をカバーするビームが属するアクセスされるべき基地局のことを指す、請求項１１に記載の装置。
【請求項１３】
前記カバレッジホール状態が、受信された前記ＵＥのアップリンク信号品質が、事前設定された信号品質しきい値より小さいこと、前記ＵＥによりフィードバックされたチャネル品質が、チャネル品質しきい値より小さいこと、前記ＵＥからのフィードバックが、事前設定された時間内に受信されないこと、前記ＵＥの受信データのビット誤り率が、事前設定されたビット誤り率しきい値に達すること、又は、前記ＵＥの受信データ信号品質が、復調が実行されることができない状態に悪化することを含む、請求項１１又は請求項１２に記載の装置。
【請求項１４】
前記ＵＥに関する前記情報が、ＵＥ識別子、ＵＥスキャン期間、ＵＥ測位情報、及びビーム識別子を含む、請求項１１から請求項１３のいずれか一項に記載の装置。
【請求項１５】
前記トランシーバモジュールが、高周波接続ステータスを搬送する接続応答メッセージを受信したあとで、前記ＵＥに対する前記高周波接続を確立する前記基地局を除く、前記対象のアクセスされるべき基地局中の他の基地局に、スキャン停止要求メッセージを送信するように更に構成される、請求項１１から請求項１４のいずれか一項に記載の装置。
【請求項１６】
高周波通信を実施するための処理装置であって、
ユーザ装置（ＵＥ）に最初に接続されている基地局により送信されるスキャン要求メッセージを受信するように構成されるトランシーバモジュールであって、当該トランシーバモジュールが、前記ＵＥに最初に接続されている前記基地局にスキャン確認メッセージを送信するとともに、前記ＵＥに最初に接続されている前記基地局により送信される前記ＵＥに関する情報を受信するように更に構成される、前記トランシーバモジュールと、
前記ＵＥに関する前記情報に従って前記ＵＥをスキャンし、その結果、前記ＵＥが高周波接続を確立する、ように構成されるスキャンモジュールとを備える、装置。
【請求項１７】
当該装置が、割り当てモジュールと、判定モジュールとを更に備え、
前記割り当てモジュールが、現在の負荷に従って前記ＵＥに時間−周波数リソースを割り当てるように構成され、
前記判定モジュールが、前記ＵＥに関する前記情報に従って前記ＵＥの位置を判定するように構成され、
前記スキャンモジュールが、前記時間−周波数リソース及び前記ＵＥの前記位置に従って前記ＵＥの前記位置に対してビームを発射し、その結果、前記ＵＥがアップリンクビームとダウンリンクビームとをペアにするとともに前記ビームをロックし、そして前記ＵＥが前記高周波接続を確立する、ように構成される、請求項１６に記載の装置。
【請求項１８】
前記トランシーバモジュールが、前記ＵＥに最初に接続されている前記基地局に高周波リンク接続ステータスを搬送する接続応答メッセージを送信し、その結果、前記ＵＥに最初に接続されている前記基地局が、前記接続応答メッセージに従って前記ＵＥをスキャンすることを停止するとともに、前記ＵＥに対する高周波接続を確立する基地局を除く、対象のアクセスされるべき基地局中の他の基地局に、スキャン停止要求メッセージを送信する、ように更に構成される、請求項１６又は請求項１７に記載の装置。
【手続補正２】
【補正対象書類名】明細書
【補正対象項目名】発明の名称
【補正方法】変更
【補正の内容】
【発明の名称】高周波通信を実施するための処理方法及び装置、並びにデバイス
【手続補正３】
【補正対象書類名】明細書
【補正対象項目名】００６３
【補正方法】変更
【補正の内容】
【００６３】
具体的には、マクロ基地局が配置されない高−低周波マクロ／マイクロネットワークアーキテクチャでは、又は、高−低周波分散型ネットワークアーキテクチャでは、アクセスされるべき基地局は、現在ＵＥにサービスする基地局を含まない。したがって、ＵＥに対する高周波リンクを使用することによりＵＥに最初に接続されているスモールセル／基地局は、ＵＥに対する高周波接続を確立することができる少なくとも１つの基地局にスキャン要求メッセージを送信する。
【手続補正４】
【補正対象書類名】明細書
【補正対象項目名】００７５
【補正方法】変更
【補正の内容】
【００７５】
マクロ基地局が配置されない高−低周波マクロ／マイクロネットワークアーキテクチャでは、又は、高−低周波分散型ネットワークアーキテクチャでは、ＵＥに最初に接続されているスモールセル／基地局とＵＥとの間の接続が切断されるので、ＵＥに最初に接続されているスモールセル／基地局は、ＵＥの現在位置を周期的に更新することができない、という点に注意が必要である。
【手続補正５】
【補正対象書類名】明細書
【補正対象項目名】０１２０
【補正方法】変更
【補正の内容】
【０１２０】
図１０は、本発明による、基地局の実施例２の概略の構造図である。図１０において示されたように、この実施例は、図９において示された実施例に基づいており、基地局は、受信機９０３を更に含む。
【手続補正６】
【補正対象書類名】明細書
【補正対象項目名】０１３０
【補正方法】変更
【補正の内容】
【０１３０】
図１２を参照すると、本発明の実施例８は、カバレッジホールにおいて高周波通信を実施するための処理方法を更に提供し、当該方法は、下記のステップを含む。
【手続補正７】
【補正対象書類名】明細書
【補正対象項目名】０１４１
【補正方法】変更
【補正の内容】
【０１４１】
図１３を参照すると、本発明の実施例９は、カバレッジホールにおいて高周波通信を実施するための処理方法を更に提供し、当該方法は、下記のステップを含む。